(57)【要約】      （修正有）【課題】本発明は水位に応じて壁を上下する仕組みを設けることによって、必要な強度を抑えることができる水位対応型水中壁を提供するものである。【解決手段】水底より起立する柱と柱の間に、浮力部を備えることで水位に応じて上下に可動する壁を備え、前記浮力部を備えることで水位に応じて上下に可動する前記壁と、水位が変化しても可動しない壁の間に、前記柱と前記柱の間の長さに及ぶローラーを備え、前記浮力部を備えることで水位に応じて上下に可動する前記壁と、水位が変化しても可動しない前記壁それぞれの前記ローラー側に、前記柱と前記柱の間の長さに及ぶ板からなる返し部分を設け、前記浮力部を備えることで水位に応じて上下に可動する前記壁に設けられた前記返し部分の上方、かつ、水位が変化しても可動しない前記壁に設けられた前記返し部分の下方に前記ローラーを設けたことを特徴とする。【選択図】図１０
2019131958.tif 000002
【特許請求の範囲】
【請求項１】
水底より起立する柱と柱の間に、浮力部を備えることで水位に応じて上下に可動する壁を備えた水位対応型水中壁。
【請求項２】
水底より起立する柱と柱の間に、浮力部を備えることで水位に応じて上下に可動する壁と海底との間を塞ぐ、水位が変化しても可動しない壁を設けた請求項１の水位対応型水中壁。
【請求項３】
浮力部を備えることで水位に応じて上下に可動する壁と、水位が変化しても可動しない壁の間に、柱と柱の間の長さに及ぶローラーを備えた請求項１の水位対応型水中壁。
【請求項４】
浮力部を備えることで水位に応じて上下に可動する壁と、水位が変化しても可動しない壁のそれぞれの内側に、柱と柱の間の長さに及ぶ板を設けた請求項３の水位対応型水中壁。
【請求項５】
浮力部を備えることで水位に応じて上下に可動する壁の浮力部の下に隙間を設けた請求項１の水位対応型水中壁。
【発明の詳細な説明】
【技術分野】
【０００１】
本発明は水位の変化により、水面上部分にかかる風による抵抗に対応するための幕式水中壁に関する物である。
【背景技術】
【０００２】
従来の水中壁は引き潮になって水位が下がったとき、空中に壁がさらされた状態になるので、台風などの強風に耐えるための強度が必要であった。
【先行技術文献】
【特許文献】
【０００３】
【特許文献１】特許第６１４３３１５号
【特許文献２】特許第６１７２８３０号
【特許文献３】特許第６２５７１２０号
【特許文献４】特開２０１１−２０２３４３
【特許文献５】特開２０１６−８４４８
【発明の概要】
【発明が解決しようとする課題】
【０００４】
本発明は水位に応じて壁を上下する仕組みを設けることによって、必要な強度を抑えることができる水位対応型水中壁を提供するものである。
【課題を解決するための手段】
【０００５】
上記目的を達成するために、水位対応型水中壁において請求項１に係るものは、水底より起立する柱と柱の間に、浮力部を備えることで水位に応じて上下に可動する壁を備えたものである。
【０００６】
請求項２に係るものは、請求項１に係るものにおいて、水底より起立する柱と柱の間に、浮力部を備えることで水位に応じて上下に可動する壁と海底との間を塞ぐために、水位が変化しても可動しない壁を設けたものである。
【０００７】
請求項３に係るものは、請求項１に係るものにおいて、浮力部を備えることで水位に応じて上下に可動する壁と、水位が変化しても可動しない壁の間に、柱と柱の間の長さに及ぶローラーを備えたものである。
【０００８】
請求項４に係るものは、請求項３に係るものにおいて、浮力部を備えることで水位に応じて上下に可動する壁と、水位が変化しても可動しない壁のそれぞれの内側に、柱と柱の間の長さに及ぶ板を設けたものである。
【０００９】
請求項５に係るものは、請求項１に係るものにおいて、浮力部を備えることで水位に応じて上下に可動する壁の浮力部の下に隙間を設けたものである。
【発明の効果】
【００１０】
本発明は、以上説明したように構成されており、以下に記載されるような効果を有する。  請求項１に係る仕組みを用いた場合、水より軽い浮力部を備えること水位に応じて上下に可動する壁が、潮の満ち引きに応じて常に水面付近まで沈むので、台風などの影響を受けにくい。特許文献１〜３を用いた幕式水路や幕式水中壁は海流を集約して発電に使うためのものであり、集約する海流を黒潮なみの速度にするならば、海流の流出口付近でも秒速２ｍに耐えられる程度の強度でよい。海流の秒速２ｍは、風速に換算すると秒速２０ｍに相当する。しかし、台風に対応するには秒速４０ｍ以上の風が直角に当たった時に耐えるだけの強度が必要になる。しかも、それは海面上の部分だけではなく、柱を支える海底部分にも相応の強度が求められる。仮に柱の幅を１ｍ、壁の幅を１００ｍとした場合、抗力は面積に比例するので、壁が沈む場合と沈まない場合では抗力に１０１倍の差が出る。また、打ち下ろされた風が水路で集約され流出口から突風が吹き出すことも考えられ、不用意に近づいた船が転覆する危険がある。なので、海面上に不必要に壁を出さないことがコスト削減や安全につながる。ちなみに浮力で動かない壁とは、柱に固定されていることを意味しない。特許文献の幕式水路や幕式水中壁で示されているように、設置時や補修時において沈めたり引き上げたりできる構造にしてもよい。
【００１１】
請求項２に係る仕組みを用いた場合、請求項１に係る仕組みを用いた場合に加え、浮力部を備え水位に応じて上下に可動する壁と海底との間を塞ぐために、水位が変化しても可動しない壁を備えることにより、壁面の反対側への流れを阻害することができ、壁を横に連ねて水路を形成することができる。可動する壁のみの場合、下の隙間から海流が流出するので、海流を集約する水路としては使えない。ただ、その分、必要強度が抑えられるので波を抑えることだけが目的ならばそれでもかまわない。
【００１２】
請求項３に係る仕組みを用いた場合、請求項１に係る仕組みを用いた場合に加え、浮力で上下に動く壁と動かない壁との間の隙間を無くしつつ、浮力で上下に動く壁をスムーズに動かすことができる。水中壁を使い海流を集約させる場合、水路の内外で水圧の差が大きく生じる。隙間があるとそこから圧力が逃げ、効率の低下につながったり、その隙間から流れる高圧水流が破損の原因になる可能性がある。たとえばゴムなどの素材で刷毛のような返し部分を作り、壁同士の隙間を無くすという方法もあるが、摩擦による劣化で頻繁な交換が求められる可能性が高い。そこで、浮力で上下に動く壁と動かない壁との間にローラーを設ける。ただし、そのローラーとは壁が設けられた柱から柱の間に、水平に備えられる長い円筒形をしたものであり、なおかつ浮力で上下に動く壁と動かない壁との隙間ほどの直径を持ったものである。また、固定はされておらず、浮力で上下に動く壁の動きに合わせて転がる。なお、ローラーの両端に歯車を備えることで、ローラーにかかる水圧や重力などの力でずれることを防ぐ。ローラーの歯車を受ける側の歯車は、ラックとよばれる直線状の歯車にして柱や壁に設けるとよい。
【００１３】
請求項４に係る仕組みを用いた場合、請求項３に係る仕組みを用いた場合に加え、浮力で上下に動く壁と動かない壁の内側に、柱と柱の間の長さに及ぶ板を設けることにより、ローラーにかかる圧力を抑えることができる。ローラーは細長いゆえに圧力により曲がりやすい。曲がらないようにするには直径を太くすることが有効であるが、それでは柱の幅も太くせねばならずコストがかかってしまう。そこで、浮力で上下に動く壁と動かない壁のそれぞれに壁の隙間が塞ぐ方向にその板を設けると水圧がかかる面積を減らすことができる。ただし、壁の隙間を完全に塞ぐと壁が動かなくなってしまうので、両方とも多少の隙間は必要である。またローラーで隔てられた両側の空間に圧力差が出すぎると各所破損の原因になるので、板の任意の部分に水圧の調整弁を設けるとよい。
【００１４】
請求項５に係る仕組みを用いた場合、請求項１に係る仕組みを用いた場合に加え、浮力で上下に動く壁の浮力部分と壁部分の間に隙間を設けることで過度な水圧を逃がすことができる。水中壁を使い海流を集約させる場合、なるべく水圧を逃がさないようにするため水路内の隙間をなくすのが望ましい。しかし、そうすると、水路内の波が合成されて水面が水路外より過剰に高くなる可能性がある。水中部分であれば水路外の水により、水路内外の圧力はある程度の均衡を保つことができるが、水面上部分ではその支えがない分、水路内外で水面の高低差がつきすぎると柱や壁に格段に強度が必要になる。そこで、浮力で上下に動く壁の浮力部分と壁部分の間に隙間を設けることで、波を水路外に逃がすことにより水路内外で極端な高低差がつかないようにする。隙間部分には網を用いると幕式水路式生簀に用いることができる。また、隙間は圧力の逃げ道であるので、劣化や疲労が起こりやすい。海面付近に設けることで補修がしやすくなる。
【００１５】
その他、浮力で動かない壁の上に柱の上部まで続く網をはっておくと、浮力で動く壁が故障で浮いてこない場合においても、生簀の機能を果たすことができる。逆に壁が沈まない場合の想定は、ある一定の風速で幕がやぶれるなどの対策をとっておくと柱の倒壊を防ぐことができる。
【図面の簡単な説明】
【００１６】
【図１】発明を実施するための形態を示す斜視図である。
【図２】発明を実施するための形態を示す斜視図である。
【図３】発明を実施するための形態を示す斜視図である。
【図４】実施例１を示す横面図である。
【図５】実施例１を示す横面図である。
【図６】実施例２を示す横面図である。
【図７】実施例３を示す横面図である。
【図８】実施例４を示す斜視図である。
【図９】実施例５を示す斜視図である。
【図１０】実施例６を示す横面図である。
【発明を実施するための形態】
【００１７】
本発明を実施するための形態を図１〜図３に基づいて説明する。浮力部（２）を備えた浮力で動く壁枠（３）と浮力で動かない壁枠（４）が二本の柱（５）で挟まれた構造をしている。浮力で動く壁枠（３）と浮力で動かない壁枠（４）のそれぞれの枠内は幕（１）によって塞がれている。また、浮力で動く壁枠（３）は柱（５）に設けられた溝（６）によって、上下に移動することができる。図１は浮力で動く壁枠（３）が一番上に移動した状態である。図２は浮力で動く壁枠（３）が図１より下に下がった図である。図３は浮力で動く壁枠（３）を外した図である。柱（５）は倒れないようにケーブルでささえてもよい。壁の長さが必要な場合は柱の間を広げるだけではなく、複数以上の柱を設けその間に上記の仕組みを設けてもよい。また、ローラー用溝（７）および、返し部分（９）の役割については後述する。
【実施例】
【００１８】
実施例１を図４および図５を基に説明する。浮力で動く壁（１１）が海面（１２）の上下によって移動する際の状態を簡略化して横から示した図である。図４は水位が高い状態であり、図５は水位が低い状態である。ローラー（８）が転がることで、浮力で動く壁（１１）が水密性を保ったまま、上下に移動することができる。ローラー（８）は回転しながら上下に移動するので、浮力で動く壁（１１）の移動幅より短い移動幅である。ローラー（８）の上下に設けられた返し部分（９）は、ローラー（８）にかかる水圧を軽減するためのものである。壁の表裏で水圧がそれほど変わらない場所での利用では必要ない。発電のため海流を集約する水路の壁として用いた場合。海流の流入口付近では必要ないが、それ以外では設けた方がよい。ローラー（８）の上下で水圧が異なりすぎるとローラー（８）が曲がってしまうからである。返し部分（９）を設けることにより、壁同士の隙間の面積が小さくなり、ローラー（８）にかかる水圧を減らすことができる。ただし、返し部分（９）と壁との隙間が狭くなりすぎると、浮力で動く壁（１１）が動くとき、ローラー（８）と返し部分（９）で区切られた上下の空間で海水の流入流出がしにくくなり、それにより双方の空間で圧力差が拡大しローラー（８）が曲がってしまう恐れがある。それを避けるためには適度な隙間を設けるか、返し部分（９）に水圧の調整弁を設けるとよい。返し部分（９）とは壁の端に取り付けていることによる呼称であるが、別に壁の途中に設けてもよい。
【００１９】
実施例２を図６を基に説明する。ローラー用溝（７）にローラー（８）に備えられた歯車（１３）がはめ込まれた図である。ローラー用溝（７）は図１や図３の柱に設けられたものである。歯車（１３）により、回転しなければローラー（８）が上下できなくなる。水圧や重力でローラー（８）が所定の位置からずれると浮力で動く壁が正常に稼働しなくなってしまうので、その対策である。
【００２０】
実施例３を図７を基に説明する。ローラー（８）に備えられた歯車（１３）を浮力で動かない壁（１０）と浮力で動く壁（１１）に設けたラック（１５）により回転させる仕組みである。ローラー用溝（７）と比べて保持力と歯車（１３）部分の水密性が高まる。ラックとは歯車の直径を無限大にしたもので、平面に、歯車を回転させるための歯を備えたものの呼称である。
【００２１】
実施例４を図８を基に説明する。ローラー（８）の端に設けられた歯車（１３）を示した斜視図である。省略された逆側のはしも同様の構造とする。またローラー（８）の端の部分の段差は浮力で動く壁枠と、その壁枠に張られた幕の段差を埋めるものである。壁枠にラックを設ける場合、その段差は必要ない。
【００２２】
実施例５を図９を基に説明する。図１とほぼ同じであるが、大きな違いは浮力部（２）の下部に網（１４）が設けられていることである。この壁で海中に水路を設けた場合、水路内と水路外の水面の高低差がつきにくくすることができる。網（１４）を用いているのは生簀に用いることを想定しているからである。また、図７の説明した仕組みである、浮力で動かない壁枠（３）にラック（１５）が設けられている。
【００２３】
実施例６を図１０を基に説明する。浮力で動かない壁（１０）の上に網（１４）を設けた図である。水路内を生簀にした場合、万が一、浮力で動く壁（１１）に不具合が生じ、沈んだ位置から浮いてこなかった場合、そこから養殖魚が逃げてしまう。なので、浮力で動かない壁（１０）の上に網（１４）を設けておけば、その心配はなくなる。また、網（１４）は海底まで届くようにしておけば、動かない壁（１０）の幕が破れても生簀としての機能は果たせる。
【符号の説明】
【００２４】
１  幕
２  浮力部
３  浮力で動く壁枠
４  浮力で動かない壁枠
５  柱
６  溝
７  ローラー用溝
８  ローラー
９  返し部分
１０  浮力で動かない壁
１１  浮力で動く壁
１２  海面
１３  歯車
１４  網
１５  ラック
【図１】
2019131958.tif 000003
【図２】
2019131958.tif 000004
【図３】
2019131958.tif 000005
【図４】
2019131958.tif 000006
【図５】
2019131958.tif 000007
【図６】
2019131958.tif 000008
【図７】
2019131958.tif 000009
【図８】
2019131958.tif 000010
【図９】
2019131958.tif 000011
【図１０】
2019131958.tif 000012
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
水底より起立する柱と柱の間に、浮力部を備えることで水位に応じて上下に可動する壁を備え、前記浮力部を備えることで水位に応じて上下に可動する前記壁と、水位が変化しても可動しない壁の間に、前記柱と前記柱の間の長さに及ぶローラーを備え、前記浮力部を備えることで水位に応じて上下に可動する前記壁と、水位が変化しても可動しない前記壁それぞれの前記ローラー側に、前記柱と前記柱の間の長さに及ぶ板からなる返し部分を設け、前記浮力部を備えることで水位に応じて上下に可動する前記壁に設けられた前記返し部分の上方、かつ、水位が変化しても可動しない前記壁に設けられた前記返し部分の下方に前記ローラーを設けた水位対応型水中壁。
【請求項２】
浮力部を備えることで水位に応じて上下に可動する壁の浮力部の下に隙間を設け、その隙間より、水流の圧力の一部を、前記壁で仕切られた、水流の圧力が低い側へ放出できるようにした請求項１の水位対応型水中壁。
【手続補正３】
【補正対象書類名】明細書
【補正対象項目名】全文
【補正方法】変更
【補正の内容】
【発明の詳細な説明】
【技術分野】
【０００１】
本発明は水位の変化により、水面上部分にかかる風による抵抗に対応するための幕式水中壁に関する物である。
【背景技術】
【０００２】
従来の水中壁は引き潮になって水位が下がったとき、空中に壁がさらされた状態になるので、台風などの強風に耐えるための強度が必要であった。
【先行技術文献】
【特許文献】
【０００３】
【特許文献１】特許第６１４３３１５号
【特許文献２】特許第６１７２８３０号
【特許文献３】特許第６２５７１２０号
【特許文献４】特開２０１１−２０２３４３
【特許文献５】特開２０１６−８４４８
【発明の概要】
【発明が解決しようとする課題】
【０００４】
本発明は水位に応じて壁を上下する仕組みを設けることによって、必要な強度を抑えることができる水位対応型水中壁を提供するものである。
【課題を解決するための手段】
【０００５】
上記目的を達成するために、水位対応型水中壁において請求項１に係るものは、水底より起立する柱と柱の間に、浮力部を備えることで水位に応じて上下に可動する壁を備え、前記浮力部を備えることで水位に応じて上下に可動する前記壁と、水位が変化しても可動しない壁の間に、前記柱と前記柱の間の長さに及ぶローラーを備え、前記浮力部を備えることで水位に応じて上下に可動する前記壁と、水位が変化しても可動しない前記壁それぞれの前記ローラー側に、前記柱と前記柱の間の長さに及ぶ板からなる返し部分を設け、前記浮力部を備えることで水位に応じて上下に可動する前記壁に設けられた前記返し部分の上方、かつ、水位が変化しても可動しない前記壁に設けられた前記返し部分の下方に前記ローラーを設けたものである。
【０００６】
浮力部を備えることで水位に応じて上下に可動する壁の浮力部の下に隙間を設け、その隙間より、水流の圧力の一部を、前記壁で仕切られた、水流の圧力が低い側へ放出できるようにした請求項１の水位対応型水中壁。
【発明の効果】
【０００７】
本発明は、以上説明したように構成されており、以下に記載されるような効果を有する。  請求項１に係る仕組みを用いた場合、水より軽い浮力部を備えること水位に応じて上下に可動する壁が、潮の満ち引きに応じて常に水面付近まで沈むので、台風などの影響を受けにくい。特許文献１〜３を用いた幕式水路や幕式水中壁は海流を集約して発電に使うためのものであり、集約する海流を黒潮なみの速度にするならば、海流の流出口付近でも秒速２ｍに耐えられる程度の強度でよい。海流の秒速２ｍは、風速に換算すると秒速２０ｍに相当する。しかし、台風に対応するには秒速４０ｍ以上の風が直角に当たった時に耐えるだけの強度が必要になる。しかも、それは海面上の部分だけではなく、柱を支える海底部分にも相応の強度が求められる。仮に柱の幅を１ｍ、壁の幅を１００ｍとした場合、抗力は面積に比例するので、壁が沈む場合と沈まない場合では抗力に１０１倍の差が出る。また、打ち下ろされた風が水路で集約され流出口から突風が吹き出すことも考えられ、不用意に近づいた船が転覆する危険がある。なので、海面上に不必要に壁を出さないことがコスト削減や安全につながる。ちなみに浮力で動かない壁とは、柱に固定されていることを意味しない。特許文献の幕式水路や幕式水中壁で示されているように、設置時や補修時において沈めたり引き上げたりできる構造にしてもよい。
【０００８】
浮力部を備え水位に応じて上下に可動する壁と海底との間を塞ぐために、水位が変化しても可動しない壁を備えることにより、壁面の反対側への流れを阻害することができ、壁を横に連ねて水路を形成することができる。可動する壁のみの場合、下の隙間から海流が流出するので、海流を集約する水路としては使えない。ただ、その分、必要強度が抑えられるので波を抑えることだけが目的ならばそれでもかまわない。
【０００９】
浮力で上下に動く壁と動かない壁との間の隙間を無くしつつ、浮力で上下に動く壁をスムーズに動かすことができる。水中壁を使い海流を集約させる場合、水路の内外で水圧の差が大きく生じる。隙間があるとそこから圧力が逃げ、効率の低下につながったり、その隙間から流れる高圧水流が破損の原因になる可能性がある。たとえばゴムなどの素材で刷毛のような返し部分を作り、壁同士の隙間を無くすという方法もあるが、摩擦による劣化で頻繁な交換が求められる可能性が高い。そこで、浮力で上下に動く壁と動かない壁との間にローラーを設ける。ただし、そのローラーとは壁が設けられた柱から柱の間に、水平に備えられる長い円筒形をしたものであり、なおかつ浮力で上下に動く壁と動かない壁との隙間ほどの直径を持ったものである。また、固定はされておらず、浮力で上下に動く壁の動きに合わせて転がる。なお、ローラーの両端に歯車を備えることで、ローラーにかかる水圧や重力などの力でずれることを防ぐ。ローラーの歯車を受ける側の歯車は、ラックとよばれる直線状の歯車にして柱や壁に設けるとよい。
【００１０】
浮力で上下に動く壁と動かない壁の内側に、柱と柱の間の長さに及ぶ板を設けることにより、ローラーにかかる圧力を抑えることができる。ローラーは細長いゆえに圧力により曲がりやすい。曲がらないようにするには直径を太くすることが有効であるが、それでは柱の幅も太くせねばならずコストがかかってしまう。そこで、浮力で上下に動く壁と動かない壁のそれぞれに壁の隙間が塞ぐ方向にその板を設けると水圧がかかる面積を減らすことができる。ただし、壁の隙間を完全に塞ぐと壁が動かなくなってしまうので、両方とも多少の隙間は必要である。またローラーで隔てられた両側の空間に圧力差が出すぎると各所破損の原因になるので、板の任意の部分に水圧の調整弁を設けるとよい。
【００１１】
請求項２に係る仕組みを用いた場合、請求項１に係る仕組みを用いた場合に加え、浮力で上下に動く壁の浮力部分と壁部分の間に隙間を設けることで過度な水圧を逃がすことができる。水中壁を使い海流を集約させる場合、なるべく水圧を逃がさないようにするため水路内の隙間をなくすのが望ましい。しかし、そうすると、水路内の波が合成されて水面が水路外より過剰に高くなる可能性がある。水中部分であれば水路外の水により、水路内外の圧力はある程度の均衡を保つことができるが、水面上部分ではその支えがない分、水路内外で水面の高低差がつきすぎると柱や壁に格段に強度が必要になる。そこで、浮力で上下に動く壁の浮力部分と壁部分の間に隙間を設けることで、波を水路外に逃がすことにより水路内外で極端な高低差がつかないようにする。隙間部分には網を用いると幕式水路式生簀に用いることができる。また、隙間は圧力の逃げ道であるので、劣化や疲労が起こりやすい。海面付近に設けることで補修がしやすくなる。
【００１２】
その他、浮力で動かない壁の上に柱の上部まで続く網をはっておくと、浮力で動く壁が故障で浮いてこない場合においても、生簀の機能を果たすことができる。逆に壁が沈まない場合の想定は、ある一定の風速で幕がやぶれるなどの対策をとっておくと柱の倒壊を防ぐことができる。
【図面の簡単な説明】
【００１３】
【図１】発明を実施するための形態を示す斜視図である。
【図２】発明を実施するための形態を示す斜視図である。
【図３】発明を実施するための形態を示す斜視図である。
【図４】実施例１を示す横面図である。
【図５】実施例１を示す横面図である。
【図６】実施例２を示す横面図である。
【図７】実施例３を示す横面図である。
【図８】実施例４を示す斜視図である。
【図９】実施例５を示す斜視図である。
【図１０】実施例６を示す横面図である。
【発明を実施するための形態】
【００１４】
本発明を実施するための形態を図１〜図３に基づいて説明する。浮力部（２）を備えた浮力で動く壁枠（３）と浮力で動かない壁枠（４）が二本の柱（５）で挟まれた構造をしている。浮力で動く壁枠（３）と浮力で動かない壁枠（４）のそれぞれの枠内は幕（１）によって塞がれている。また、浮力で動く壁枠（３）は柱（５）に設けられた溝（６）によって、上下に移動することができる。図１は浮力で動く壁枠（３）が一番上に移動した状態である。図２は浮力で動く壁枠（３）が図１より下に下がった図である。図３は浮力で動く壁枠（３）を外した図である。柱（５）は倒れないようにケーブルでささえてもよい。壁の長さが必要な場合は柱の間を広げるだけではなく、複数以上の柱を設けその間に上記の仕組みを設けてもよい。また、ローラー用溝（７）および、返し部分（９）の役割については後述する。
【実施例】
【００１５】
実施例１を図４および図５を基に説明する。浮力で動く壁（１１）が海面（１２）の上下によって移動する際の状態を簡略化して横から示した図である。図４は水位が高い状態であり、図５は水位が低い状態である。ローラー（８）が転がることで、浮力で動く壁（１１）が水密性を保ったまま、上下に移動することができる。ローラー（８）は回転しながら上下に移動するので、浮力で動く壁（１１）の移動幅より短い移動幅である。ローラー（８）の上下に設けられた返し部分（９）は、ローラー（８）にかかる水圧を軽減するためのものである。壁の表裏で水圧がそれほど変わらない場所での利用では必要ない。発電のため海流を集約する水路の壁として用いた場合。海流の流入口付近では必要ないが、それ以外では設けた方がよい。ローラー（８）の上下で水圧が異なりすぎるとローラー（８）が曲がってしまうからである。返し部分（９）を設けることにより、壁同士の隙間の面積が小さくなり、ローラー（８）にかかる水圧を減らすことができる。ただし、返し部分（９）と壁との隙間が狭くなりすぎると、浮力で動く壁（１１）が動くとき、ローラー（８）と返し部分（９）で区切られた上下の空間で海水の流入流出がしにくくなり、それにより双方の空間で圧力差が拡大しローラー（８）が曲がってしまう恐れがある。それを避けるためには適度な隙間を設けるか、返し部分（９）に水圧の調整弁を設けるとよい。返し部分（９）とは壁の端に取り付けていることによる呼称であるが、別に壁の途中に設けてもよい。
【００１６】
実施例２を図６を基に説明する。ローラー用溝（７）にローラー（８）に備えられた歯車（１３）がはめ込まれた図である。ローラー用溝（７）は図１や図３の柱に設けられたものである。歯車（１３）により、回転しなければローラー（８）が上下できなくなる。水圧や重力でローラー（８）が所定の位置からずれると浮力で動く壁が正常に稼働しなくなってしまうので、その対策である。
【００１７】
実施例３を図７を基に説明する。ローラー（８）に備えられた歯車（１３）を浮力で動かない壁（１０）と浮力で動く壁（１１）に設けたラック（１５）により回転させる仕組みである。ローラー用溝（７）と比べて保持力と歯車（１３）部分の水密性が高まる。ラックとは歯車の直径を無限大にしたもので、平面に、歯車を回転させるための歯を備えたものの呼称である。
【００１８】
実施例４を図８を基に説明する。ローラー（８）の端に設けられた歯車（１３）を示した斜視図である。省略された逆側のはしも同様の構造とする。またローラー（８）の端の部分の段差は浮力で動く壁枠と、その壁枠に張られた幕の段差を埋めるものである。壁枠にラックを設ける場合、その段差は必要ない。
【００１９】
実施例５を図９を基に説明する。図１とほぼ同じであるが、大きな違いは浮力部（２）の下部に網（１４）が設けられていることである。この壁で海中に水路を設けた場合、水路内と水路外の水面の高低差がつきにくくすることができる。網（１４）を用いているのは生簀に用いることを想定しているからである。また、図７の説明した仕組みである、浮力で動かない壁枠（３）にラック（１５）が設けられている。
【００２０】
実施例６を図１０を基に説明する。浮力で動かない壁（１０）の上に網（１４）を設けた図である。水路内を生簀にした場合、万が一、浮力で動く壁（１１）に不具合が生じ、沈んだ位置から浮いてこなかった場合、そこから養殖魚が逃げてしまう。なので、浮力で動かない壁（１０）の上に網（１４）を設けておけば、その心配はなくなる。また、網（１４）は海底まで届くようにしておけば、動かない壁（１０）の幕が破れても生簀としての機能は果たせる。
【符号の説明】
【００２１】
１  幕
２  浮力部
３  浮力で動く壁枠
４  浮力で動かない壁枠
５  柱
６  溝
７  ローラー用溝
８  ローラー
９  返し部分
１０  浮力で動かない壁
１１  浮力で動く壁
１２  海面
１３  歯車
１４  網
１５  ラック